(57)【特許請求の範囲】
【請求項１】
コンクリート打設にスラブ型枠が用いられる集合住宅におけるグレーチングの取付構造において、
一対のアングル材が所定幅で対向して形成されるグレーチング枠と、
前記グレーチング枠を所定高さで支持するグレーチング枠支持手段と、
前記一対のアングル材の所定幅より幅広な部分を形成するフランジ部を有する半筒状の溝型枠とを具備し、
コンクリート打設前に、前記グレーチング枠支持手段の下端がスラブ型枠に固定され、前記溝型枠が前記一対のアングル材に上方から前記フランジ部を引っ掛けて固定されずに地面から離れて設置され、
コンクリート打設後に、コンクリート溝を形成した前記溝型枠が取り外され、前記一対のアングル材にグレーチングが取り付けられる
ことを特徴とするグレーチングの取付構造。
【請求項２】
コンクリート打設にスラブ型枠が用いられる集合住宅におけるグレーチングの取付方法において、
コンクリート打設前に、
一対のアングル材が所定幅で対向して形成されるグレーチング枠を所定高さで支持するグレーチング枠支持手段の下端をスラブ型枠に固定し、
前記一対のアングル材の所定幅より幅広な部分を形成するフランジ部を有する半筒状の溝型枠を、当該一対のアングル材に上方から当該フランジ部を引っ掛けて固定せずに地面から離して設置し、
コンクリート打設後に、
前記溝型枠を取り外してコンクリート溝を形成し、前記一対のアングル材にグレーチングが取り付けられる
ことを特徴とするグレーチングの取付工法。
【発明の詳細な説明】
【技術分野】
【０００１】
本発明は、例えば集合住宅内のコンクリートスラブに排水溝を設けるグレーチングの取付構造及び取付工法に関し、さらに詳しくは、コンクリート打設後の施工の効率化を図るグレーチングの取付構造及び取付工法に関するものである。
【背景技術】
【０００２】
従来から、建物内の排水溝の構造やグレーチングの取付構造については、衛生面や施工面で工夫がされてきた。
【０００３】
例えば排水溝２の開口部分の幅が底部３又は内径と同一かそれより広く形成されていることで、この排水溝の内側の汚れを発見し清掃し易くすると共に、この排水溝を支持する支持部材９に設けられた高さ調整ボルト１０で、この排水ユニットの上端が床面と面一になるように調整する発想（例えば、特許文献１参照。）が提案されている。
【０００４】
また、排水溝を形成する一対のプレキャストコンクリートブロック２，２の上方にグレーチング枠４，４を溶接接合して固定し、このプレキャストコンクリートブロック及びグレーチング枠の外周部にシンダーコンクリートを所定の高さまで打設する発想（特許文献２参照。）が提案されている。
【先行技術文献】
【特許文献】
【０００５】
【特許文献１】特開２００５−３０７４７３号公報
【特許文献２】特開２００６−１６９９１３号公報
【発明の概要】
【発明が解決しようとする課題】
【０００６】
しかしながら、上述した特許文献１では排水溝２が、特許文献２では一対のプレキャストコンクリートブロック２，２が、それぞれ固定式であり、コンクリートスラブで構築される集合住宅には不向きである。すなわち、このような集合住宅においては、排水溝がコンクリートスラブに設けられるため、特許文献１及び２の発想では、排水溝２や一対のプレキャストコンクリートブロック２，２をコンクリートスラブ内に埋設しなければならず、無駄な設備及び施工が発生する。
【０００７】
一般的に、集合住宅内のエレベーターホール等にグレーチングを取り付ける場合、コンクリートの打設前に所定の欠き込み用型枠を設け、この欠き込み用型枠を取り外した後のスラブ内の欠き込み部分にグレーチング枠をコンクリートに対して溶接固定していた。
【０００８】
しかしながら、欠き込み用型枠を取り外す手間がかかるばかりでなく、この欠き込み用型枠があった箇所をベニア等で養生する必要があった。また、取り外した欠き込み用型枠は、別のグレーチングの取付時に転用し難かった。さらに、グレーチング枠の溶接固定は、特定の作業員（鍛冶工等）でなければできなかった。また、グレーチング枠の溶接固定後、欠き込み部分の余剰空間の埋め立ては、特定の作業員（左官工等）でなければできなかった。そして、従来のグレーチング枠や欠き込み用型枠は、幅や長さ等が規格化されていなかったため、施工毎に製作していた。
【０００９】
そこで本発明の目的は、余分な設備や冶工具及び特定の作業員を必要とせず、コンクリートスラブに対して排水溝を容易に構築できるグレーチングの取付構造及び取付工法を提供することにある。
【課題を解決するための手段】
【００１０】
上記課題を解決するために、本発明によるグレーチングの取付構造及び取付工法の特徴は、スラブ型枠から所定高さにグレーチング枠を保持したまコンクリートを打設すると共に、再利用できる型枠でコンクリートに溝を形成することにある。
【００１１】
すなわち、本発明はコンクリート打設にスラブ型枠が用いられる集合住宅におけるグレーチングの取付構造において、一対のアングル材が所定幅で対向して形成されるグレーチング枠と、上記グレーチング枠を所定高さで支持するグレーチング枠支持手段と、上記一対のアングル材の所定幅より幅広な部分を形成するフランジ部を有する半筒状の溝型枠とを具備し、コンクリート打設前に、上記グレーチング枠支持手段の下端がスラブ型枠に固定され、上記溝型枠が上記一対のアングル材に上方から上記フランジ部を引っ掛けて固定されずに地面から離れて設置され、コンクリート打設後に、コンクリート溝を形成した上記溝型枠が取り外され、上記一対のアングル材にグレーチングが取り付けられる。
【００１２】
また、本発明はコンクリート打設にスラブ型枠が用いられる集合住宅におけるグレーチングの取付方法において、コンクリート打設前に、一対のアングル材が所定幅で対向して形成されるグレーチング枠を所定高さで支持するグレーチング枠支持手段の下端をスラブ型枠に固定し、上記一対のアングル材の所定幅より幅広な部分を形成するフランジ部を有する半筒状の溝型枠を、上記一対のアングル材に上方から上記フランジ部を引っ掛けて固定されずに地面から離れて設置し、コンクリート打設後に、上記溝型枠を取り外してコンクリート溝を形成し、上記一対のアングル材にグレーチングが取り付けられる。

【００１３】
ここで、「コンクリート打設にスラブ型枠が用いられる集合住宅」とは、例えば鉄筋コンクリート構造の集合住宅において、木製のスラブ型枠を墨出しや敷桟等の工程を経て組み立て、この組み立てられたスラブ型枠内にコンクリートを流し込んで壁や床を構築するものを示す。
【００１４】
「グレーチング」とは、室内の通路や屋外の道路等における表面排水用の排水溝にかける鋼材を格子状に組んだ蓋を示す。グレーチングの種類は、グレーチング枠又は排水溝の形状に合うものが好ましく、例えば、矩形状のグレーチング本体やグレーチング本体の長手方向の両側にアングル材又は板状の突起を取り付けたものが該当する。グレーチングの素材は、例えば、スチール、ステンレス鋼材（ＳＵＳ）、ＦＲＰ（Ｆｉｂｅｒ  Ｒｅｉｎｆｏｒｃｅｄ  Ｐｌａｓｔｉｃｓ）又は合成ゴムが該当する。
【００１５】
「グレーチング枠」とは、グレーチングを排水溝の上にかけて支持するものを示し、例えば長尺の一対のアングル材が所定幅で対向して形成されるものが該当する。アングル材の尺や一対のアングル材同士の所定幅に限定はない。
【００１６】
「グレーチング枠支持手段」とは、グレーチング枠の外側周辺をコンクリート打設して固まるまで所定高さにこのグレーチング枠を支持するものを示し、例えば棒状のセパレーターの上端に所定のアングル材をボルト等の固定部材でスライド可能にしたものが該当する。
【００１７】
「溝型枠」とは、打設するコンクリートに対して所定深さ及び所定幅の排水溝を形成する半筒を示す。溝型枠の横端面は、例えば円弧状や台形状のように半筒状の開口側が幅広な部分を有するものが該当する。溝型枠の素材は、例えばスチールやステンレス鋼（ＳＵＳ）が該当する。溝型枠の幅や長さに限定はなく、規格化（例えば、幅：１００ｍｍ、長さ：９００ｍｍ又は１８００ｍｍ）してもよい。
【発明の効果】
【００１８】
本発明によるグレーチングの取付構造及び取付工法なら、コンクリート打設にスラブ型枠が用いられる集合住宅において、施工の効率化が図れるのみならず、設備や工具の再利用も可能なため、施工コストの削減が実現する。すなわち、グレーチング枠をグレーチング枠支持手段で支持するため、コンクリート打設が可能となると共に、従来の左官補修（溶接固定等含む）が不要となる。さらに、所定の剛性を有する溝型枠であれば、コンクリート打設後に溝型枠の取り外しが容易なため、他のグレーチング取付時に再利用できると共に、溝の精度を向上させることができる。
【図面の簡単な説明】
【００１９】
【図１】グレーチング取付構造の概要を示す斜視図である。
【図２】グレーチング取付工法の流れを示す図である。
【発明を実施するための形態】
【００２０】
以下、図１及び図２を参照しつつ、本発明の一実施形態におけるグレーチングの取付構造及び取付工法を説明する。
【００２１】
図１に示すように、コンクリート打設に木製のスラブ型枠が用いられる集合住宅におけるグレーチングの取付構造において、一対のアングル材１１，１１が所定幅で対向して形成されるグレーチング枠１と、このグレーチング枠を所定高さで支持するグレーチング枠支持手段２と、この一対のアングル材の幅Ｉより幅広な部分を有する半筒状の溝型枠３とを具備し、コンクリート打設前に、このグレーチング枠支持手段の下端がスラブ型枠Ｓに固定され、この溝型枠がこの一対のアングル材に上方から設置され、コンクリート打設後に、コンクリート溝を形成したこの溝型枠が取り外され、この一対のアングル材にグレーチングＧが取り付けられてもよい。
なお、木製のスラブ型枠は、ベニアでもよい。
【００２２】
次に、本発明の一実施形態におけるグレーチングの取付構造を形成する各部材について、図１を参照しつつ説明する。
【００２３】
グレーチング枠１は、Ｌ型アングル材１１の一方の板部１１ａが下側で、この一方の板部が互いに内側に位置し、一対のアングル材１１，１１として平行に幅Ｉ隔てて並んだものでよい。幅Ｉは、溝型枠３の開口側の幅広な部分と一致する程度でよい
なお、一対のアングル材１１，１１は、所定の冶具を架け渡して双方のアングル材を連結したものでもよい。アングル材１１の形状、寸法及び材質に限定はない。
【００２４】
グレーチング枠支持手段２は、所定の間隔毎にグレーチング枠１の長手方向の両側に左右対称に配置されてもよい。グレーチング枠支持手段２は、セパレーター２１と、Ｌ型のアングル材２２と、ボルト２３とで構成されてもよい。そして、アングル材２２の一方の板部２２ａが下側に位置し、この一方の板部に設けた貫通孔にセパレーター２１の上端が差し込まれ、このセパレーターとアングル材とがボルト２３で固定されてもよい。さらに、スラブ型枠Ｓにセパレーター２１の下端が差し込まれてもよい。また、アングル材２２の他方の板部２２ｂとグレーチング枠１を構成するアングル材１１の他方の板部１１ｂとが溶接等で固着されてもよい。
なお、セパレーター２１、アングル材２２及びボルト２３の寸法又は材質に限定はない。
【００２５】
溝型枠３は、横端面が台形状の細長い半筒３１と、開口側の上端の両方から外方に延出するフランジ部３２，３２とで構成されてもよい。半筒３１の開口側の上端は、一対のアングル材１１，１１の幅Ｉと略同等の幅でもよい。溝型枠３を一対のアングル材１１，１１の上方から幅Ｉに挿入したとき、フランジ部３２，３２がこの一対のアングル材の一方の板部１１ａ，１１ａに引っ掛かってもよい。
なお、溝型枠３の寸法又は材質に限定はない。フランジ部３２，３２以外に、溝型枠３が一対のアングル材１１，１１の間に引っ掛かって落下しなければ、いずれの形状でもよい。溝型枠３の内側には、コンクリート打設時に枠の変形を防止する補強材があってもよい。
【００２６】
グレーチング枠１がグレーチング枠支持手段２に支持された状態において、スラブ型枠Ｓからアングル材１１の他方の板部１１ｂ上端までを高さＨとし、コンクリートＣはこの高さまで打設される。
【００２７】
また、図２に示すように、コンクリート打設にスラブ型枠が用いられる集合住宅におけるグレーチングの取付方法において、コンクリート打設前に、一対のアングル材１１，１１が幅Ｉで対向して形成されるグレーチング枠１を高さＨで支持するグレーチング枠支持手段２の下端をスラブ型枠Ｓに固定し、この一対のアングル材の幅より幅広な部分を有する半筒状の溝型枠３を、この一対のアングル材に上方から設置し、コンクリート打設後に、この溝型枠を取り外してコンクリート溝を形成し、この一対のアングル材にグレーチングＧが取り付けられてもよい。
【００２８】
次に、本発明の一実施形態におけるグレーチングの取付工法の詳細について、図２を参照しつつ説明する。なお、グレーチング枠１はグレーチング枠支持手段２に予め取り付けられているものとする。
【００２９】
まず、図２（ａ）が示すとおり、グレーチング枠１が取り付けられたグレーチング枠支持手段２のセパレーター２１の下端をスラブ型枠Ｓに固定してもよい。これにより、このグレーチング枠を構成するアングル材１１の他方の板部１１ｂの上端が高さＨとなり、この高さにグレーチング枠が支持されてもよい。
なお、高さＨを変更する場合は、グレーチング枠支持手段２のセパレーター２１とアングル材２２との高さを調節してもよい。
【００３０】
次に、図２（ｂ）が示すとおり、コンクリート打設前に、溝型枠３の半筒３１を一対のアングル材１１，１１の幅Ｉに上方から挿入し、この幅より幅広なフランジ部３２，３２をアングル材１１，１１の一方の板部１１ａ，１１ａに引っ掛けてもよい。これにより、コンクリート打設後に溝型枠３を容易に取り外すことができる。
【００３１】
次に、図２（ｃ）が示すとおり、スラブ型枠Ｓから高さＨまでコンクリートＣを打設してもよい。このとき、グレーチング枠支持手段２はコンクリートＣに完全に埋まってもよい。一方、グレーチング枠１及び溝型枠３の内側にはコンクリートＣを打設しなくてもよい。これにより、グレーチングの設置場所及び排水溝を形成することができる。この後、コンクリートＣが固まるまで待ってもよい。
【００３２】
最後に、図２（ｄ）が示すとおり、コンクリートＣが固まった後、まず、溝型枠３を取り外してもよい。このとき、溝型枠３がステンレス鋼等の剛性を有する素材だと、他のグレーチング溝の形成時に再利用できるのみならず、溝の深さや高さ等の精度を向上させることができる。そして、グレーチング枠１にグレーチングＧを設置する。このとき、グレーチング枠１の一対のアングル材１１，１１の内側角部分にゴム素材の敷物Ｐ，Ｐを備えれば、グレーチングＧのガタツキを防止することができる。
【００３３】
このように、上述したグレーチングの取付工法なら、コンクリート打設にスラブ型枠が用いられる集合住宅において、施工の効率化が図れるのみならず、設備や工具の再利用も可能なため、施工コストの削減が実現する。すなわち、グレーチング枠１をグレーチング枠支持手段２で支持するため、このグレーチング枠支持手段ごとコンクリートＣの打設が可能になると共に、従来の左官補修（溶接固定等含む）が不要となる。さらに、所定の剛性を有する溝型枠３であれば、コンクリートＣの打設後にこの溝型枠の取り外しが容易なため、他のグレーチング取付時に再利用できると共に、溝の精度を向上させることができる。
【産業上の利用可能性】
【００３４】
本発明におけるグレーチングの取付構造及び取付工法は、集合住宅のみならず、個別住宅、企業の建築物及び医療施設や介護施設等に関する産業に広く利用可能である。
【符号の説明】
【００３５】
１      グレーチング枠
１１    アングル材
２      グレーチング枠支持手段
３      溝型枠
Ｉ      グレーチング枠のアングル材同士の幅
Ｓ      スラブ型枠
Ｇ      グレーチング
【図１】
0006616629.tif 000002
【図２】
0006616629.tif 000003